(57)【特許請求の範囲】
【請求項１】
乗り物用シート上での使用のための子供用安全シートであって、前記乗り物用シートは安全ベルトを有し、当該子供用安全シートは：
シートアセンブリ部及びバックレスト部を有するシートベース；
開位置と閉位置との間で回転するために、前記シートアセンブリ部に対して開放可能に枢着されている、シートパネル；及び
前記シートパネル上に配置されている、シート本体；
を有し、
前記シートパネルが前記開位置に回転したときに、前記安全ベルトは、前記シートベースを前記乗り物用シートに取り付けるために、前記シートベースの上を通り；
前記シートパネルが前記閉位置に回転したときに、前記シートパネルは、前記シートベースと協働して、前記安全ベルトを締め付け、
前記バックレスト部は少なくとも一つの固定穴を有し、当該子供用安全シートは、前記シートパネル上に配置され、前記少なくとも一つの固定穴に対応し、且つ係合位置と後退位置との間でスライド可能な、後退可能なプランジャを更に有し；前記シートパネルが前記閉位置に位置付けられたときに、前記後退可能なプランジャは、前記シートパネルを前記シートベースに固定するために、前記少なくとも一つの固定穴の中に挿入される前記係合位置に突き出る、
子供用安全シート。
【請求項２】
前記シートパネルは、前記シートアセンブリ部に対して傾けられる前記開位置と前記シートベース上に取り外し可能に固定される前記閉位置との間で前記シート本体と一緒に回転するために、前記バックレスト部から離れた前記シートアセンブリ部の端部に対して開放可能にヒンジで接続されている、請求項１に記載の子供用安全シート。
【請求項３】
前記シートベースは二つのサイドウィングサポートを更に有し、前記シートパネルが前記開位置に回転したときに、前記安全ベルトは、前記二つのサイドウィングサポートの間のスパンを横切って置かれ；前記シートパネルが前記閉位置に回転したときに、前記シートパネルは、前記安全ベルトを押し戻し、前記二つのサイドウィングサポート及び前記シートアセンブリ部と協働して前記安全ベルトを締め付ける、請求項１に記載の子供用安全シート。
【請求項４】
前記二つのサイドウィングサポートは、前記シートアセンブリ部及び前記バックレスト部と協働して収容空間を形成するために、それぞれ前記バックレスト部の両側から延び；前記シートパネルが前記開位置に回転したときに、前記安全ベルトは前記収容空間より上に位置付けられ；前記シートパネルが前記閉位置に回転したときに、前記シートパネルは、前記安全ベルトを凹状の経路内にするように、前記安全ベルトを前記収容空間に向かって押し戻し、前記二つのサイドウィングサポート及び前記シートアセンブリ部と協働して前記収容空間内の前記安全ベルトを締め付ける、請求項３に記載の子供用安全シート。
【請求項５】
前記開位置から前記閉位置への前記シートパネルの回転の間に、前記バックレスト部は、前記後退可能なプランジャを前記後退位置に向かって偏らせ；前記シートパネルが前記閉位置に位置付けられ、前記後退可能なプランジャを前記少なくとも一つの固定穴と整列させたときに、前記後退可能なプランジャは、前記シートパネルを前記シートベースに固定するために、前記少なくとも一つの固定穴の中に挿入される前記係合位置に突き出る、請求項１に記載の子供用安全シート。
【請求項６】
乗り物用シート上での使用のための子供用安全シートであって、前記乗り物用シートは安全ベルトを有し、当該子供用安全シートは：
シートアセンブリ部及びバックレスト部を有するシートベース；
開位置と閉位置との間で回転するために、前記シートアセンブリ部に対して開放可能に枢着されている、シートパネル；及び
前記シートパネル上に配置されている、シート本体；
を有し、
前記シートパネルが前記開位置に回転したときに、前記安全ベルトは、前記シートベースを前記乗り物用シートに取り付けるために、前記シートベースの上を通り；
前記シートパネルが前記閉位置に回転したときに、前記シートパネルは、前記シートベースと協働して、前記安全ベルトを締め付け、
前記バックレスト部は少なくとも一つの固定穴を有し、当該子供用安全シートは、前記シートパネル上に配置され、前記少なくとも一つの固定穴に対応し、且つ係合位置と後退位置との間でスライド可能な、後退可能なプランジャを更に有し；前記シートパネルが前記閉位置に位置付けられたときに、前記後退可能なプランジャは、前記シートパネルを前記シートベースに固定するために、前記少なくとも一つの固定穴の中に挿入される前記係合位置に突き出て、
当該子供用安全シートは、前記少なくとも一つの固定穴と前記後退可能なプランジャとの間の係合を解放するために、前記バックレスト部上に配置されている解放ボタン機構を更に有し、
前記解放ボタン機構は、押しボタン及び連結ロッドを有し、前記押しボタンは、前記バックレスト部上の係止位置と解放位置との間でスライド可能であり且つ前記連結ロッドに向かって延びる連結アームを有し、前記連結ロッドは、前記バックレスト部上に回転可能に配置されており、前記押しボタンが前記係止位置から前記解放位置に押されたときに、前記連結アームは、前記後退可能なプランジャと前記少なくとも一つの固定穴との間の係合を解放するように、前記連結ロッドを回転させて、前記後退可能なプランジャを前記少なくとも一つの固定穴の外に出す、
子供用安全シート。
【請求項７】
前記連結ロッドは、前記連結アームに対して枢着されている第一屈曲部、及び前記少なくとも一つの固定穴に対応する第二屈曲部を有し、前記押しボタンが前記係止位置から前記解放位置に押されたときに、前記連結アームは、前記後退可能なプランジャと前記少なくとも一つの固定穴との間の係合を解放するように、前記第二屈曲部を駆動して前記後退可能なプランジャを前記少なくとも一つの固定穴の外に出すために、前記第一屈曲部を介して前記連結ロッドを回転させる、請求項６に記載の子供用安全シート。
【請求項８】
前記シート本体は、前記バックレスト部に対して前向き位置、後ろ向き位置又は横向き乗り込み位置に回転するために、前記シートパネル上に回転可能に配置されており、前記シート本体が前記横向き乗り込み位置に回転したときに、前記押しボタンは、前記バックレスト部から露出する、請求項６に記載の子供用安全シート。
【請求項９】
乗り物用シート上での使用のための子供用安全シートであって、前記乗り物用シートは安全ベルトを有し、当該子供用安全シートは：
シートアセンブリ部及びバックレスト部を有するシートベース；
開位置と閉位置との間で回転するために、前記シートアセンブリ部に対して開放可能に枢着されている、シートパネル；及び
前記シートパネル上に配置されている、シート本体；
を有し、
前記シートパネルが前記開位置に回転したときに、前記安全ベルトは、前記シートベースを前記乗り物用シートに取り付けるために、前記シートベースの上を通り；
前記シートパネルが前記閉位置に回転したときに、前記シートパネルは、前記シートベースと協働して、前記安全ベルトを締め付け、
前記シートパネルは、前記シートパネルが前記閉位置に回転したときに、取り外し可能に固定され、当該子供用安全シートは、前記シートパネルを前記シートベースから解放するために前記バックレスト部上に配置されている解放ボタン機構を更に有し、前記シート本体は、前記バックレスト部に対して前向き位置、後ろ向き位置又は横向き乗り込み位置に回転するために前記シートパネル上に回転可能に配置されており、前記シート本体が前記横向き乗り込み位置に回転したときに、前記解放ボタン機構は前記バックレスト部から露出する、
子供用安全シート。
【請求項１０】
前記シートパネルが前記シートベースなしで前記乗り物用シート上に設置されることができるように、前記シートパネルは、前記シートアセンブリ部に対して取り外し可能に結合して、前記シートパネルを前記シートベースから前記シート本体と一緒に取り外し可能にする、請求項１に記載の子供用安全シート。
【請求項１１】
当該子供用安全シートは少なくとも一つのピンを更に有し、前記シートパネルは、前記少なくとも一つのピンに対応する、前記シートパネル上に形成されている第一穴を有し、前記シートアセンブリ部は、前記第一穴に対応する、前記シートアセンブリ部上に形成されている第二穴を有し；前記シートパネルが前記シートアセンブリ部と組み立てられ、前記第一穴を前記第二穴と整列させたときに、前記少なくとも一つのピンは、前記シートパネルを前記シートアセンブリ部に対して開放可能に枢着するように、前記第一穴及び前記第二穴の中に挿入され；前記少なくとも一つのピンが前記第一穴及び前記第二穴から取り除かれたときに、前記シートパネルは、前記シートアセンブリ部から前記シート本体と一緒に取り外し可能である、請求項１０に記載の子供用安全シート。
【発明の詳細な説明】
【技術分野】
【０００１】
本発明は、子供用安全シートに関し、より具体的には、シートベースと協働して安全ベルトを締め付けるために、シートベースに対して開放可能に結合したシートパネルを有する子供用安全シートに関する。
【背景技術】
【０００２】
概して、子供用安全シートは、事故の際に子供を適切に制止するために自動車内で使用される。子供用安全シートの使用は一般的であるが、子供用安全シートの適切で緊密な設置が常に達成されるわけではない。子供の安全シートの後ろ向き位置の特性により、親は、子供用安全シートの側面を超えるように子供を持ち上げて子供の安全シートの中に入れることに、困難を感じるかも知れない。このプロセスは、自動車の車両ドア柱及び屋根の存在によってより困難になるのみであり、推奨され得るよりも早く親が子供を正面向きの姿勢に向けることを助長する。加えて、子供用安全シートの内外に子供を乗降させることの困難さは、保護者が子供用安全シートを使用することを早まって止めてしまうことを引き起こし得る。保護者にとって困難な更に他のプロセスは、自動車内への子供用安全シートの適切且つ緊密な設置である。
【発明の概要】
【課題を解決するための手段】
【０００３】
本発明は、乗り物用シート（vehicle  seat）上での使用のための子供用安全シート（child  safety  seat）を提供する。乗り物用シートは安全ベルトを有する。子供用安全シートは、シートベース、シートパネル及びシート本体（seat  body）を含む。シートベースは、シートアセンブリ部及びバックレスト部を有する。シートパネルは、開位置（open  position）と閉位置（closed  position）との間で回転するために、シートアセンブリ部に対して開放可能に枢着されている（openably  pivoted）。シート本体は、シートパネル上に配置されている。シートパネルが開位置に回転したときに、安全ベルトは、シートベースを乗り物用シートに取り付けるために、シートベースの上を通る。シートパネルが閉位置に回転したときに、シートパネルは、シートベースと協働して、安全ベルトを締め付ける。
【０００４】
本発明は、乗り物用シート上での使用のための子供用安全シートを更に提供する。乗り物用シートは安全ベルトを有する。子供用安全シートは、シートベース、シートパネル及びシート本体を含む。シートベースは、シートアセンブリ部及びバックレスト部を有する。シートパネルは、開位置と閉位置との間での動きのために、シートアセンブリ部に対して開放可能に可動である。シート本体は、シートパネル上に配置されている。シートパネルが開位置に動いたときに、安全ベルトのためのベルト経路（belt  path）は、アクセス可能（accessible）である。シートパネルが閉位置に動いたときに、安全ベルトのためのベルト経路は、隠される。
【０００５】
本発明は、乗り物用シート上での使用のための子供用安全シートを更に提供する。乗り物用シートは安全ベルトを有する。子供用安全シートは、シートベース、シートパネル及びシート本体を含む。シートベースは、シートアセンブリ部及びバックレスト部を有する。シートパネルは、シートアセンブリ部に対して取り外し可能に結合している。シート本体は、シートパネル上に配置され、シートパネルをシートベースからシート本体と一緒に取り外し可能にする。シート本体は、シートパネルがシートベースから取り外されたときに、安全ベルトを介してシートパネルと一緒に乗り物用シート上に設置される。
【０００６】
本発明のこれら及び他の目的は、様々な図面及び図において図解された、以下の好ましい実施形態の詳細な説明を読んだ後に、疑いなく、当業者にとって明らかになるであろう。
【図面の簡単な説明】
【０００７】
【図１】本発明の一つの実施形態による、シート本体が前向き位置に回転するときの、子供用安全シートの模式図である。
【０００８】
【図２】安全ベルトがその上に取り付けられている、図１の子供用安全シートの分解図である。
【０００９】
【図３】後ろ向き位置に回転している、図１のシート本体の模式図である。
【００１０】
【図４】横向き乗り込み位置に回転している、図１のシート本体の模式図である。
【００１１】
【図５】他の視る角度からの、図１の子供用安全シートの模式図である。
【００１２】
【図６】開位置に回転している、図４のシートパネルの模式図である。
【００１３】
【図７】解放ボタン機構によって固定穴の外に出されている、図５の後退可能なプランジャの部分拡大図である。
【００１４】
【図８】二つのサイドウィングサポート及びシートアセンブリ部と協働して、収容空間内でシートパネルによって締め付けられている、図２の安全ベルトを簡単に図解する、正面図である。
【発明を実施するための形態】
【００１５】
図１、図２、図３及び図４を参照されたい。図１は、本発明の一つの実施形態による、シート本体１２が前向き位置（forward  facing  position）に回転するときの、子供用安全シート１０の模式図である。図２は、安全ベルト１１がその上に取り付けられている、図１の子供用安全シート１０の分解図である。図３は、後ろ向き位置（rearward  facing  position）に回転している、図１のシート本体１２の模式図である。図４は、横向き乗り込み位置（side  facing  loading  position）に回転している、図１のシート本体１２の模式図である。子供用安全シート１０は、事故の際に子供を適切に制止するために自動車内で使用するためのものである。図１、図２、図３及び図４に示されるように、子供用安全シート１０は、シート本体１２、シートパネル１４及びシートベース１６を含む。本実施形態において、シート本体１２は、好ましくはシートパネル１４上で回転可能であり（ただしこれに限定されない）、そのためシート本体１２は、より大きな子供のための図１に示されるような前向き位置、より小さな赤ん坊若しくは子供のための図３に示されるような後ろ向き位置、又は車両ドアの方を向いて、子供がシート本体１２の内外に便利に乗降するための、より障害のないアクセスを提供するための、図４に示されるような横向き乗り込み位置に回転することができる。
【００１６】
さらに、図２に示されるように、シートベース１６は、シートアセンブリ部１８及びバックレスト部２０を有する。シートパネル１４は、使用者が子供用安全シートの開操作及び閉操作を実行することができるように、開位置と閉位置との間での動き（movement）のために、シートアセンブリ部１８に対して開放可能に可動（movable）である。本実施形態において、シートパネル１４は、好ましくは、シートアセンブリ部１８に対して傾けられる開位置とシートベース１６上に取り外し可能に固定される閉位置との間で回転するために、バックレスト部２０から離れたシートアセンブリ部１８の端部に対してヒンジで接続されている（hinged）。そのうえに、上述したように、シート本体１２はシートパネル１４上に配置されているので、シート本体１２は、シートパネル１４が開位置又は閉位置に回転したときにシートパネル１４と一緒に回転することができる。
【００１７】
留意されるべきこととして、子供用安全シート１０は、好ましくは、シートパネル１４がシートベース１６に対して取り外し可能に結合する設計を採用する。例えば、図２に示されるように、子供用安全シート１０は、少なくとも一つのピン１７（図２に二つ示されているが、これに限定されない）を更に含んでもよく、シートパネル１４は、ピン１７に対応する第一穴１５を有してもよく、そしてシートアセンブリ部１８は、第一穴１５に対応する第二穴１９を有してもよい。それ故に、シートパネル１４がシートアセンブリ部１８と組み立てられ、第一穴１５を第二穴１９と整列させたときに、ピン１７は、開位置と閉位置との間でシート本体１２と一緒に回転するために、シートパネル１４をシートアセンブリ部１８に対して開放可能に枢着するように、第一穴１５及び第二穴１９の中に挿入されてもよい。他方で、使用者がピン１７を第一穴１５及び第二穴１９から取り除いたときに、シートパネル１４は、シートアセンブリ部１８からシート本体１２と一緒に取り外し可能である。そのようなやり方で、使用者は、子供用安全シート１０の機能性及び寿命を増大するように、子供が直接的に安全ベルト１１によってしっかり留められることができるベルト位置ブースター（ＢＰＢ）シートとして、その上に配置されたシート本体１２を有するシートパネル１４を使用するために、シートパネル１４をシートアセンブリ部１８から取り外してもよい（図２に示されるように、シートパネル１４は、シートパネル１４がシートベース１６から取り外されたときの、シートベース１６なしでの乗り物用シート上への設置のために、平らな底面を有する）。
【００１８】
シートパネル１４及びシートアセンブリ部１８の取り外し可能な設計は、先述の実施形態に限定されず、それは、子供用安全シート１０は、シートパネル１４がシートアセンブリ部１８に対して取り外し可能に結合することができる他の設計を採用してもよいことを意味する。例えば、他の実施形態において、シートパネル１４は後退可能な（retractable）ピンを有してもよく、シートアセンブリ部１８はその上に形成された対応する穴を有してもよい。それ故に、後退可能なピンが穴の中に挿入されるように突き出た（pops  out）ときに、シートパネル１４は、シートアセンブリ部１８に対して開放可能に枢着される。他方では、後退可能なピンが穴から退くように内向きに後退させられたときに、シートパネル１４は、シートアセンブリ部１８からシート本体１２と一緒に取り外し可能である。本実施形態のより詳細な説明については、先述の実施形態による類推により推論されることができ、ここでは省略される。
【００１９】
さらに、図２に示されるように、シートベース１６は二つのサイドウィングサポート２２を更に有してもよい。二つのサイドウィングサポート２２は、シートアセンブリ部１８及びバックレスト部２０と協働して収容空間２３を形成するために、それぞれバックレスト部２０の両側から延び、そのため、安全ベルト１１（点線によって簡単に描写されている）は、子供用安全シート１０を乗り物用シート上に固定するために、図２に示されるように、二つのサイドウィングサポート２２の間のスパンを横切って置かれ（laid  across）、また、収容空間２３より上に位置付けられることができる。
【００２０】
シートパネル１４がシートベース１６上に取り外し可能に固定される設計については、図５及び図６を参照されたい。図５は、他の視る角度からの、図１の子供用安全シート１０の模式図である。図６は、開位置に回転している、図４のシートパネル１４の模式図である。図５及び図６に示されるように、バックレスト部２０は少なくとも一つの固定穴２４（図５に二つ示されているが、これに限定されない）を有する。子供用安全シート１０は、シートパネル１４上に配置され、固定穴２４に対応し、且つ係合位置（engaging  position）と後退位置（retracted  position）との間でスライド可能な、（例えば後退可能なプランジャ２６とシートパネル１４との間に接続されたバネによって）後退可能なプランジャ２６を更に含む。それ故に、図６に示されるような開位置から図５に示されるような閉位置へと戻るシートパネル１４の回転の間に、バックレスト部２０は、後退可能なプランジャ２６を後退位置に向かって偏らせ（bias）てもよい。続いて、シートパネル１４が閉位置に位置付けられ、後退可能なプランジャ２６を固定穴２４と整列させたときに、後退可能なプランジャ２６は、シートパネル１４をシートベース１６に固定するために、固定穴２４の中に挿入される、図５に示されるような係合位置に突き出る。
【００２１】
実際の用途において、子供用安全シート１０は、解放ボタン設計を更に採用して、使用者がシートベース１６からシートパネル１４を便利に解放することを可能にしてもよい。例えば、図５及び図７を参照されたい。図７は、解放ボタン機構２８によって固定穴２４の外に出されている、図５の後退可能なプランジャ２６の部分拡大図である。図５及び図７に示されるように、子供用安全シート１０は、固定穴２４と後退可能なプランジャ２６との間の係合を解放するために、バックレスト部２０上に配置されている、解放ボタン機構２８を更に含んでもよい。本実施形態において、解放ボタン機構２８は、押しボタン３０及び連結ロッド（linkage  rod）３２を含んでもよい。押しボタン３０は、バックレスト部２０上の図５に示されるような係止位置と図７に示されるような解放位置との間でスライド可能であり且つ連結ロッド３２に向かって延びる連結アーム３４を有する。連結ロッド３２は、バックレスト部２０上に回転可能に配置されており、押しボタン３０が図５に示されるような係止位置から図７に示されるような解放位置に押されたときに、連結アーム３４は、連結ロッド３２を回転させて、後退可能なプランジャ２６を固定穴２４の外に出す。より具体的には、連結ロッド３２は、連結アーム３４に対して枢着されている第一屈曲部３６、及び固定穴２４に対応する第二屈曲部３８を有する。そのようなやり方で、押しボタン３０が図７に示されるような解放位置に押されたときに、連結アーム３４は、第一屈曲部３６を介して連結ロッド３２を回転させることができる。連結ロッド３２の回転によって、第二屈曲部３８は、後退可能なプランジャ２６と固定穴２４との間の係合を解放するように、図７に示されるように後退可能なプランジャ２６を固定穴２４の外に出すために、回転することができる。それ故に、後退可能なプランジャ２６が固定穴２４から出て、シートパネル１４をシートベース１６から解放しているので、使用者は、円滑にシートパネル１４を開くことができる。
【００２２】
以下では、子供用安全シート１０の設置（installation）についてのより詳細な説明が提供される。図２、図４、図５、図６、図７及び図８を参照されたい。図８は、二つのサイドウィングサポート２２及びシートアセンブリ部１８と協働して、収容空間２３内でシートパネル１４によって締め付けられている、図２の安全ベルト１１を簡単に図解する、正面図である。シート本体１２及びシートベース１６の接続強度を確実にするために、シートパネル１４は、シート本体１２が図４に示すような横向き乗り込み位置に回転したときにのみ開くことが可能であってもよい（このとき、解放ボタン機構２８がバックレスト部２０から露出して、使用者が押しボタン３０を操作することを可能にする）。続いて、使用者は、上述したように後退可能なプランジャ２６と固定穴２４との間の係合を解放するために、図７に示されるように押しボタン３０を解放位置に押すだけでよい。それ故に、使用者は、シートパネル１４をシート本体１２と一緒に、図６に示されるような、シートアセンブリ部１８に対して傾けられる開位置に開くことができ（このとき、安全ベルト１１のためのベルト経路（belt  path）は、図６に示されるようにアクセス可能（accessible）である）、容易に二つのサイドウィングサポート２２の間のスパンを横切って安全ベルト１１を置いて、シートベース１６の上を通り且つ収容空間２３より上に位置付けられるようにすることができる。最後に、使用者は、シートパネル１４を閉じて、図４に示されるような閉位置に戻すことができる（このとき、先述の安全ベルト１１のためのベルト経路は、隠される）。先述のプロセスの間に、シートパネル１４は、安全ベルト１１を図８に示されるような凹状の経路（concave  path）内にするように、安全ベルト１１を、安全ベルト１１の外側且つ最も前方の位置の後ろに押し戻し（back）、二つのサイドウィングサポート２２及びシートアセンブリ部１８と協働して収容空間２３内の安全ベルト１１を締め付けることができる。また、後退可能なプランジャ２６は、シートパネル１４をシートベース１６に取り外し可能に固定するために、固定穴２４の中に挿入される、図５に示されるような係合位置に突き出ることができる。そのようなやり方で、安全ベルト１１は、図６に示されるような最初の経路から、子供用安全シート１０の適切で緊密な設置を達成するために子供用安全シート１０を乗り物用シートの中により緊密に引っ張り且つ安全ベルト１１を、シート本体１２が取ろうとする空間の外に戻す、図８に示されるようなより長い経路へ強制的に動かされることができる。
【００２３】
要するに、先述の単純な操作を介して、子供用安全シート１０は、先だってシート本体１２をシートパネル１４から取り外すことなく、より安定的に乗り物用シート上に設置されることができ、子供用安全シート１０の設置利便性を大幅に向上させる。さらに、安全ベルト１１はシート本体１２を通過しないので、シート本体１２は、シートパネル１４上を自由に回転することができ、子供用安全シート１０の操作柔軟性を高める。よって、保護者は、迅速に子供用安全シート１０の設置を完了し、容易且つ便利に子供用安全シート１０の内外へ子供を乗降させることができ、保護者が子供用安全シートを使用することを早まって止めてしまうことを防ぐ。
【００２４】
当業者は、本発明の教示を保ったまま、本装置及び方法の多数の変更及び代替が行われ得ることを容易に認めるであろう。それ故に、上記の開示は、添付の特許請求の範囲の境界によってのみ限定されると解釈されるべきである。
【図１】
0006412212.tif 000002
【図２】
0006412212.tif 000003
【図３】
0006412212.tif 000004
【図４】
0006412212.tif 000005
【図５】
0006412212.tif 000006
【図６】
0006412212.tif 000007
【図７】
0006412212.tif 000008
【図８】
0006412212.tif 000009